(57)【要約】【課題】  電気基板の面積が小さく、デジタルの信号系のノイズがアナログ系に悪影響を及ぼしやすい構成おいても、読み取り画質の高画質化を実現することができる画像処理装置、画像処理方法及び記憶媒体を提供すること。【解決手段】  記録装置が読み取り装置として動作するための制御手段と、前記読み取り装置が具備する光検出手段と、前記光検出手段を制御する光検出制御手段と、前記光検出手段が検出したアナログ信号をデジタル信号に変換する信号処理手段と、前記デジタル信号を前記記録装置本体へ転送する転送手段とを有し、アナログ信号系とデジタル信号系の動作タイミングが重ならないようにする制御手段をもつ構成。【選択図】  図１
2006246164.tif 000002
【特許請求の範囲】
【請求項１】
記録ヘッドと読み取り装置の双方を同時に搭載可能であり且つ、着脱自在な記録装置において、前記記録装置は、記録装置が読み取り装置として動作するための制御手段と、前記読み取り装置が具備する光検出手段と、前記光検出手段を制御する光検出制御手段と、前記光検出手段が検出したアナログ信号をデジタル信号に変換する信号処理手段と、前記デジタル信号を前記記録装置本体へ転送する転送手段とを有し、
前記デジタル信号を前記記録装置本体へ転送する転送手段は、
前記光検出手段が検出したアナログ信号の出力タイミング時には、前記デジタル信号を前記記録装置本体へ転送する転送手段によるデジタル信号の転送を停止することを特徴とする前記読み取り装置が記録ヘッドと同時搭載可能かつ着脱自在の前記記録装置。
【発明の詳細な説明】
【技術分野】
【０００１】
本発明は、画像読み取りの高画質化を実現する画像処理装置、画像処理手段に関する。
【背景技術】
【０００２】
従来の記録装置は、コンピュータからのデータを受け取り受け取ったデータに基づいて記録紙に記録するのが一般的であるが最近は記録だけの機能にとどまらず、紙に記録されている画像データを読み取る機能を備えたものもあり、記録と読み取りの複合した形の記録装置が開示されている。これらはいずれも紙搬送系を共用しながら同一保持手段を使用して記録手段と読み取り手段とを交換して搭載可能で、両者の機能を兼ね備えるようにしてある。すなわち、上記記録装置では、ドットインパクト、熱転写、インクジェット等の記録手段とを有する記録ヘッドが、保持手段であるキャリッジに着脱可能に搭載されて移動手段により記録用紙に沿って移動して記録を行い、また上述の記録装置で画像の読み取りを行わせる場合には、キャリッジから記録ヘッドを取り外して画像読み取り手段であるスキャナユニットを搭載し、画像読み取り用原稿に沿って移動手段によって移動させて読み取りを行うものである。このように単純なヘッド交換式方法が従来の技術であった。最近では、記録ヘッドと読み取り装置が同時に搭載されているものもある。
【０００３】
又、従来例としては、例えば特許文献１をあげることが出来る。
【特許文献１】特開平９−４６４８６号公報
【発明の開示】
【発明が解決しようとする課題】
【０００４】
しかしながらこの従来の記録装置に着脱可能に設けられた画像読み取り手段、もしくは、同時に搭載されている画像読み取り手段においては、ユーザーの読み取り要求範囲までをバンド読みで複数回往復しながら読み取らなくてはならないため、必然的にラインスタート信号の時間的間隔が狭い。さらに、キャリッジに搭載される読み取り装置であるために、信号処理系の電気基板の面積が小さく、デジタルの信号系のノイズがアナログ系に悪影響を及ぼしやすい構成になりがちとなる。このような背景から、従来の記録装置に着脱可能に設けられた画像読み取り手段、もしくは同時に搭載されている画像読み取り手段においては、読み取っている自己ノイズが読み取り画質を低下させという問題があった。
【０００５】
そこで本発明の目的は、上記問題を解消すべく、画質の高画質化を実現することができる画像処理装置、画像処理方法及び記憶媒体を提供することにある。
【課題を解決するための手段】
【０００６】
本発明の画像読み取り手段同時搭載可能な記録装置は、記録紙に記録を行う記録手段の横に画像を読み取る読み取り手段を併置し、記録手段または読み取り手段を同時搭載可能に保持する保持手段と、保持手段を記録手段の記録方向または読み取り手段の読み取り方向に移動させる移動手段とを有する。
【０００７】
そしてとくに前述した課題を解決するために、記録装置が読み取り装置として動作するための制御手段と、前記読み取り装置が具備する光検出手段と、前記光検出手段を制御する光検出制御手段と、前記光検出手段が検出したアナログ信号をデジタル信号に変換する信号処理手段と、前記デジタル信号を前記記録装置本体へ転送する転送手段とを有し、アナログ信号系とデジタル信号系の動作タイミングが重ならないようにする事ができるような構成を整え、ノイズレスな高画質読み取りの実現を可能とする。
【発明の効果】
【０００８】
以上説明したように本発明は、記録ヘッドまたは画像読み取り用スキャナユニットが同時搭載可能になった記録装置において、ＣＣＤからの微弱なアナログ信号と該画像処理ＩＣからのデジタルクロックと同期したデジタル画像データとの出力タイミングを一連の動作の中でずらすことによりノイズの載らないきれいなアナログデータをＣＣＤから取り出すことが可能となり、読み取り画像の品位を向上させることを可能とする。
【発明を実施するための最良の形態】
【０００９】
（実施例１）
次に本発明の実施例について図面を参照して説明する。図１は、本発明の１実施例の画像読み取り手段同時搭載可能なインクジェット記録装置の斜視図、図２は、図１の画像読み取り手段である部分であるスキャナユニット部の構造を示す略図であって電気回路を構成する基板と、光源ＬＥＤとを外側から透視した略図、図３は本発明の実施例を示し、特に印字ヘッドとスキャナヘッドの切り替え部分を表すブロック図である。本発明の実施の形態に係る画像処理装置は、特にインクジェット記録装置である。この、インクジェット記録装置内には、インクジェット記録装置全体の制御を行う制御手段であるＣＰＵと、このＣＰＵで実行される制御プログラムが記憶された記憶媒体、例えば、ハードディスク、不揮発性ＲＯＭ等が内蔵されている。
【００１０】
図１において、キャリッジ１０２の上には画像読み取り手段であるスキャナユニット１１１と記録ヘッド１０１が、同時搭載されている。キャリッジ１０２は、駆動モータ１０３によって駆動される駆動ベルト１０４によって、記録用紙又は読み取り用の原稿を保持するプラテン１０６の軸方向に沿って移動する。また、キャリッジ１０２は、２本の平行なガイドシャフト１０５Ａ及び１０５Ｂにガイドされている。
【００１１】
そして、キャリッジ１０２に記録ヘッド１０１が搭載されているときには、プラテン１０６上の記録用紙に画像または文字が記録され、キャリッジ１０２にスキャナユニット１１１が搭載されているときには、プラテン１０６の軸方向に移動しつつ走査し読み取りが行なわれる。
【００１２】
図２は図１のスキャナユニット１１１の構造を示す。このスキャナユニット１１１は、ほぼ直方体をなす筐体１１５で覆われ、筐体１１５の内側には、電気回路構成基板１１２が装着され、電気回路基板１１２には、プラテン１０６上の原稿１１０を照射するＬＥＤ１１３、原稿１１０上の文字又は画像の反射光を光電変換する光センサ１１４、ミラー１１６、フィールドレンズ１１７、結像レンズ１１８、ロッドレンズ１１９、回路制御とＡ／Ｄ変換器と画像処理のためのＩＣ１２０等の主要部品や、抵抗器、コンデンサー、コイル、発振子等の電気部品（図示しない）が搭載されている。
【００１３】
画像処理ＩＣ１２０によって処理された画像データは、インクジェット記録装置へ転送され、さらに図示しないホストコンピュータヘ送られる。
【００１４】
次に図３に加え図４を参照して本実施例における読取装置と記録装置の選択手段についての説明する。
【００１５】
本読み取り装置は、記録装置本体をホストとのオンライン状態で待機状態にした後、ホストで立ち上げられたドライバが読み取り用ドライバか記録用ドライバかで瞬時に読取装置と記録装置の選択をして、記録装置本体を、読取装置かもしくは記録装置の通常の初期化動作に入り初期化終了後読み取りもしくは記録動作に入る。この時、読取装置と記録装置の選択は、図３に示すブロック図内の制御信号線によって決定される。
【００１６】
具体的には、記録装置本体をホストとのオンライン状態で待機状態にした後、ホストで読み取り装置ドライバを立ち上げると同時に読取装置を選択して、記録装置本体を、読取装置の通常の初期化動作に入る。この時、ホスト側あるいは読み取り装置内に過去の基準値が無ければ読み取り装置の使用が初めてと記録装置本体が判断し、図２の１１９に示すＬＥＤを照射しながらシェーディング補正に必要な白基準値の取得動作に入る。もしくは環境温度等の変化が生じてホスト側あるいは読み取り装置内にある過去の基準値が現在の読み取りに不適合と記録装置本体が判断した場合にも白基準値の取得動作に入る。
【００１７】
もし、過去に取得してあったホスト内に保存されている白基準値が適合と判断されれば、即座に原稿読み取りを開始し図２の１１９に示すＬＥＤを照射しながら原稿を読み取る。
【００１８】
このとき、読取装置内という小さな容積のなかで、次のようなことが起こっている。
【００１９】
まず、ラインスタート信号間隔中にＬＥＤにより原稿および白基準シートを照射している間、光センサ（ＣＣＤまたはＣＭＯＳセンサ）に電荷が蓄積される。
【００２０】
この電荷が微弱なアナログ信号として光センサから出力され、画像処理ＩＣ内のＡ／Ｄコンバータに入力される。と同時にＡＤ変換されたデジタルデータが今度は、画像処理ＩＣの中で処理をされて、該画像処理ＩＣから、デジタルクロックに同期しデジタル画像データとして、出力される。つまり、現１ラインのＣＣＤによる読み取りアナログ信号がＣＣＤから画像処理ＩＣへ出力されている間、前１ラインで読み取られたアナログデータがデジタル化されて出力されている時間が存在しうるのである。
【００２１】
以上の一連の動作が、読み取り最中は絶え間なく行われており、常に、アナログ信号出力時とデジタル信号出力時は、小さな読取装置内で時間軸上で混在している状態であった。
【００２２】
このことはデジタル信号のクロックのような暴れた信号が、微弱な信号である、光センサの出力信号にノイズとして乗っかり、高画質な画像を得るということに障害となる。
【００２３】
ただし、ここで以下に述べるような本特許の最大の特徴を用いることによりこれらの不具合が回避される。
【００２４】
図３のブロック図、図４のタイミングチャートを使って説明する。
【００２５】
まず、図３のラインスタート信号が画像処理補正回路から発せられると、ＣＣＤが光電変換を開始し、電荷を蓄積し始める。このライン信号は図４の最上部に記してある。
【００２６】
さらに、時間が経過すると、次のラインスタート信号が発せられ、次のラインのＣＣＤの光電変換が始まる。と、同時に前ラインでＣＣＤに蓄積された電荷がアナログ出力信号として、増幅器をとおりＡＤ変換され、画像処理補正回路へ渡される。さらに次のラインスタート信号で処理された画像デジタル信号が、図３のブロック図に示すようにクロックと同期して出力を開始する。
【００２７】
この一連の動作のなかの一部を拡大したタイミングチャートが図４であり本特許の特徴を表現するものである。
【００２８】
（２）部：センサクランプタイミング、（４）部：センサ実画素部読み出しタイミングはアナログ信号をＣＣＤが出力しているタイミングであり、ここでは、デジタル信号の動きを止め、ノイズがアナログ信号に伝播しないように制御をする。
【００２９】
一方、読み取りアナログ信号の出力のない（１）（３）（５）部では読み取りデジタルデータ（ＡＤ変換後）を吐き出し、記録装置本体へ転送を行う。
【００３０】
この繰り返しにより、要求ライン数を読み取ることになる。
【００３１】
また、クランプ画素数、読み取り画素数によりタイミングをずらすことは言うまでもない。
【００３２】
（実施例２）
上述の実施例は、インクジェット記録装置について詳述したが、インクジェット以外の記録装置例えばドットインバクト、熱転写等の記録へッドを用いる記録装置における、交換可能な画像読み取り用スキャナヘッドにも適用出来ることは明らかである。
【図面の簡単な説明】
【００３３】
【図１】記録装置の斜視図
【図２】キャリッジ横に同時搭載された読み取り手段とその断面図
【図３】本実施例における記録ヘッドと読み取り装置ブロック図
【図４】本実施例における自動発生ラインスタート信号のタイミングチャート
【符号の説明】
【００３４】
１０１  記録ヘッド
１０２  キャリッジ
１０３  駆動モータ
１０４  駆動ベルト
１０５Ａ，１０５Ｂ  ガイドシャフト
１０６  プラテン（原稿紙送り手段、移動手段）
１１０  原稿
１１１  スキャナユニット（原稿読み取り手段、読み取り手段）
１１２  電気回路構成基板
１１３  ＬＥＤ光源
１１４  光センサ
【図１】
2006246164.tif 000003
【図２】
2006246164.tif 000004
【図３】
2006246164.tif 000005
【図４】
2006246164.tif 000006